(57)【要約】【課題】電気二重層コンデンサの特性を生かし、安定して給電し各種機能を発揮させることができ、携帯し易くて安価な緊急・災害用携帯具の提供を課題とする。【解決手段】太陽電池１、手動発電機２、外部電源接続部３を少なくとも有する電源部Ｂと、電源部Ｂからの給電によって充電される電気二重層コンデンサ１１を少なくとも有する充電部Ｃと、ラジオ受信部２１、緊急報知部２２、ＬＥＤライト部２３を少なくとも有する負荷部Ｅとを備え、前記電源部Ｂの太陽電池１と手動発電機２の何れか一方若しくは両方によって充電部Ｃの前記電気二重層コンデンサ１１を充電し、該充電された電気二重層コンデンサ１１により、若しくは該充電された電気二重層コンデンサ１１と前記太陽電池１と手動発電機２の何れか一方若しくは両方とにより、前記負荷部Ｅを駆動して使用するようにした。【選択図】      図１
2007267469.tif 000002
【特許請求の範囲】
【請求項１】
太陽電池、手動発電機、外部電源接続部を少なくとも有する電源部と、電源部からの給電によって充電される電気二重層コンデンサを少なくとも有する充電部と、ラジオ受信部、緊急報知部、ＬＥＤライト部を少なくとも有する負荷部とを備え、前記電源部の太陽電池と手動発電機の何れか一方若しくは両方によって前記充電部の電気二重層コンデンサを充電し、該充電された電気二重層コンデンサにより、若しくは該充電された電気二重層コンデンサと前記太陽電池と手動発電機の何れか一方若しくは両方とにより、前記負荷部を駆動して使用するようにしたことを特徴とする緊急・災害用携帯具。
【請求項２】
充電部は、電気二重層コンデンサに加えて、外部電源接続部に接続される外部電源によって充電される二次電池を有し、充電された二次電池と前記外部電源の何れか一方若しくは両方によっても負荷部を駆動できるようにしてあることを特徴とする請求項１に記載の緊急・災害用携帯具。
【請求項３】
ＬＥＤライト部は、超高輝度ＬＥＤよりなり、インバータによる昇圧電圧で駆動されることを特徴とする請求項１又は２に記載の緊急・災害用携帯具。
【請求項４】
ＬＥＤライト部は、超高輝度ＬＥＤを複数持ち、駆動数を切り換えることができるようにスイッチ構成されていることを特徴とする請求項３に記載の緊急・災害用携帯具。
【請求項５】
外部電源接続部は、少なくともＤＣアダプタ、パーソナルコンピュータを含む外部電源との接続部であることを特徴とする請求項１〜４の何れかに記載の緊急・災害用携帯具。
【請求項６】
負荷部は、更に電源部からの給電を切り換え自在に受電できるようにした外部機器接続部を有することを特徴とする請求項１〜５の何れかに記載の緊急・災害用携帯具。
【請求項７】
ラジオ受信部とＬＥＤライト部と緊急報知部とは、その何れか２つ以上を同時に駆動することができないようにスイッチ構成されていることを特徴とする請求項１〜６の何れかに記載の緊急・災害用携帯具。
【発明の詳細な説明】
【技術分野】
【０００１】
本発明は、災害時の緊急・災害対策のために携帯して電源を確保し、情報収集、報知、連絡といったことができる緊急・災害用携帯具に関するものである。
【背景技術】
【０００２】
この種の携帯具としては、手動発電機内蔵の超小型電池パック（例えば特許文献１参照）、ラジオ内蔵携帯電話用拡声器付き充電器（例えば特許文献２参照）、携帯用ラジオシステム（例えば特許文献３参照）などが知られているし、複数の電源を使い分けて種々の機能を発揮するものが既に市販されている。また手動式の電源装置そのものも提案されている（例えば特許文献４参照）。
特許文献１が開示している超小型電池パックは、手動発電機で発電した電気を電池に供給して蓄電しておき、電源のないところや停電下でも、携帯用電話機、携帯用パソコン、携帯用ラジオなどに電気を供給して使用できるようにしている。
特許文献２が開示している充電器は、コンセントプラグから供給される電力が供給される電源を有し、ラジオ用のアンプに給電してスピーカーを働かせ、また音声用プラグを通じて携帯電話のラジオを働かせる一方、充電回路にも給電して充電用ＤＣジャックを通して携帯電話に給電できるようにしている。
特許文献３が開示している携帯用ラジオシステムは、蓄電可能な太陽電池から電力が取り出し可能で、且つ外部から電源プラグが接続可能な電力供給用のコンセントが設けられた腕時計と、前記コンセントに接続される電源プラグを収容しておくための格納部を備え、その電源プラグから供給される電力によりＩＣ化された音声出力回路を介して連繋される組立式イヤホーンを格納する格納部を備えたカード状の携帯用ラジオとから構成されている。
【特許文献１】特開２００１−１８９１５２号公報
【特許文献２】特開平１０−３１３２５７号公報
【特許文献３】特開平７−２２１６５８号公報
【特許文献４】特開平６−２１７４９４号公報
【特許文献５】特許第２９６４８５９号公報
【発明の開示】
【発明が解決しようとする課題】
【０００３】
特許文献１、４に記載の手動発電機は、人が操作して発電し、電源とするので外部電源が不要である。しかし特許文献１に記載の糸を引っ張る方式では、発電操作は引っ張った後で戻すことの繰り返しになる。また特許文献４に記載の手回し方式では、連続操作はできても回転状態を安定させ難い。特許文献３に記載の太陽電池は、人の操作も不要となるが、晴天時と雨や曇天、夜間などの変化のため、安定した受光ができない。
従って何れの場合も長時間の安定した電力供給には難点があり、緊急・災害用には十分でなかった。
そこで多くの場合、特許文献１〜３に記載されているように、発電した電力又は商用電源などから供給される電力を充電池に供給して蓄電しておき、必要な時に安定給電できるようにすることが行われる。
【０００４】
ところが蓄電を充電池で行うのは、緊急・災害用の携帯具では特に問題がある。一般に充電池は充電回数が５００回〜１０００回で寿命が終わる。簡単に説明すると、例えば充電池をフル充電するとラジオが１２時間聞けるとする。すると毎日１時間ずつラジオを聞けば、１２日後に完全放電状態になる。そこで再度フル充電する。このような繰り返し使用は理想的であって、経年変化を無視した理論上の寿命は１２日×５００回＝６０００日÷３６５日＝約１６年間使用できることになる。これに対して手回し発電機による充電の場合では、充電池に望まれる所定電圧以上の発電で充電したとしても、フル充電でない１分間の充電で３０分ラジオを聞いた後、もう少し聞くために１分間の充電を再度行うと、充電回数が早くも２回となる。このように１日２回の充電を行うと月に６０回となり、約８ヶ月で寿命が尽きる。
【０００５】
また充電池の充電は充電電源の電圧が被充電池の電圧よりも高いことが必要である。例えば被充電池の電圧が２個直列で２．５Ｖであれば、充電完了時点での被充電池の電圧が２．８Ｖであるとすると、充電電源に必要な電圧は２．９Ｖ以上となる。従って電圧の不安定な手動発電機や太陽電池による充電電源では不向きである。しかも充電時間は被充電池の充電容量を充電電流で割った時間を要する。即ち、２．５Ｖで１２００ｍＡ／ｈの充電池を３．５Ｖ以上で５０ｍＡを流す能力のある充電電源にて充電すると、充電が完了するまでに１２００ｍＡ／ｈ÷５０ｍＡ＝２４ｈの長時間が必要となり、緊急・災害時での小刻み使用が予想される用途には望めない条件である。
しかもこれは充電の規定電圧、即ち完全放電の時から充電をスタートさせてフル充電する理想的な場合のことである。規定の放電電圧は、それぞれの電池メーカによって指定されている。完全放電せずに充電すれば確かに充電時間は短くなるが、それは充電可能電力の凡そ１／２位しか充電できず、フル充電できないことを意味する。例えば残電力量が１／２（６００ｍＡ／ｈ）のときに充電を開始すると、充電できるのは消費電力量分の１／２の３００ｍＡ／ｈであり、トータルで約９００ｍＡ／ｈしか充電できなくなる。これを繰り返すと、充電池は９００ｍＡ／ｈがフル充電と認識してしまう。これがメモリ効果による寿命低下である。現実には１００％の充電量を確保するのは難しく、使用できる電力量（電圧×電流）がどんどん減少していく。リチウム電池は一般にメモリ効果はないとされているが、継ぎ足し充電をした場合は、しない場合よりも明らかに寿命は低下する。従って緊急・災害用携帯具は、手動発電機や太陽電池により充電して小刻み使用するのには向かない。
【０００６】
一方、充電池は重金属を使用しているので、リサイクルを考えなければならない制約と不便がある。
また充電池は必ず充電状態で保管する必要がある。放電状態で保管しておくと、破壊されて充電できなくなる。充電しておいても自然放電は免れず、緊急・災害用携帯具などの長期に放置され易いものでは、肝心の時に使用できなくなっている問題がある。
充電池は取り扱いに十分注意すれば、大電流が取り出せ、しかも長時間の使用が可能な点は確かに魅力ではある。しかし緊急・災害用携帯具に使用するには、上記のような懸念、不安があり、安全を図る上で重要な問題である。
【０００７】
特許文献５には、太陽電池と電気二重層コンデンサとを組み合わせた太陽電池装置が開示されている。
一般に蓄電技術では、無人灯台や街路灯の電源として、蓄電池に自己放電がない、メンテナンスが容易、長寿命、低価格、体積あたりの容量が大きい、充放電の効率がよいなどを目標として、従来、低コストで経済性に優れた鉛蓄電池や過充放電に強くサイクル寿命が長いニカド電池が主に用いられている。
これらに対して特許文献５は、太陽電池の出力の不安定性から太陽電池容量と蓄電池容量とを十分な余裕を持つように大きく設定することが余儀なくされ、晴天日射のある設置が必須となり、装置の大型化とコスト上昇の原因になっていること、また充電回数寿命が２００〜５００回程度と低く、通常２〜３年で交換が必要であり、鉛蓄電池では重金属による二次公害があること、更に二次電池の動作範囲は０〜５０℃と狭く、寒冷地での使用に支障を来たすといったことを指摘している。
特許文献５に記載の太陽電池装置は、これらの問題を解消するために、想定した雨天或いは曇天の日射量で負荷が１日に消費する電力を発電するだけの容量を有し、日陰の場所にて設置可能な太陽電池と、太陽電池が発電した電力を蓄積し、負荷が１日に消費する当日分の負荷電力を供給するだけの蓄電容量を有する電気二重層コンデンサと、周囲の照度が設定値を超える場合には太陽電池からの電力を電気二重層コンデンサに充電し、周囲の照度が設定値以下の場合には電気二重層コンデンサに蓄積された電力を負荷に供給して毎日充放電を繰り返すという制御を太陽電池の出力を検出することに基づいて行うようにしている。
しかしながら特許文献５に記載の太陽電池装置は、二次電池を超えた電気二重層コンデンサの特性を生かしているものの、１日に消費する負荷電力を保証する構成、機能は極くまれにしか使用されず、使用されても短時間の繰り返し使用となることが予想される緊急・災害用携帯具には構造、コスト、給電機能の面で向いていない。
【０００８】
そこで本発明は、電気二重層コンデンサの特性を生かし、使用が稀で、また使用する時は短時間の繰り返し使用の場合でも安定して給電し各種機能を発揮させることができ、携帯し易くて安価な緊急・災害用携帯具の提供を課題とする。
【課題を解決するための手段】
【０００９】
上記課題を達成するため本発明の緊急・災害用携帯具は、太陽電池、手動発電機、外部電源接続部を少なくとも有する電源部と、電源部からの給電によって充電される電気二重層コンデンサを少なくとも有する充電部と、ラジオ受信部、緊急報知部、ＬＥＤライト部を少なくとも有する負荷部とを備え、前記電源部の太陽電池と手動発電機の何れか一方若しくは両方によって前記充電部の電気二重層コンデンサを充電し、該充電された電気二重層コンデンサにより、若しくは該充電された電気二重層コンデンサと前記太陽電池と手動発電機の何れか一方若しくは両方とにより、前記負荷部を駆動して使用するようにしたことを第１の特徴としている。
また本発明の緊急・災害用携帯具は、上記第１の特徴に加えて、充電部は、電気二重層コンデンサに加えて、外部電源接続部に接続される外部電源によって充電される二次電池を有し、充電された二次電池と前記外部電源の何れか一方若しくは両方によっても負荷部を駆動できるようにしてあることを第２の特徴としている。
また本発明の緊急・災害用携帯具は、上記第１又は第２の特徴に加えて、ＬＥＤライト部は、超高輝度ＬＥＤよりなり、インバータによる昇圧電圧で駆動されることを第３の特徴としている。
また本発明の緊急・災害用携帯具は、上記第３の特徴に加えて、ＬＥＤライト部は、超高輝度ＬＥＤを複数持ち、駆動数を切り換える手段を有していることを第４の特徴としている。
また本発明の緊急・災害用携帯具は、上記第１〜第４の何れかの特徴に加えて、外部電源接続部は、少なくともＤＣアダプタ、パーソナルコンピュータを含む外部電源との接続部であることを第５の特徴としている。
また本発明の緊急・災害用携帯具は、上記第１〜第５の何れかの特徴に加えて、負荷部は、更に電源部からの給電を切り換え自在に受電できるようにした外部機器接続部を有することを第６の特徴としている。
また本発明の緊急・災害用携帯具は、上記第１〜第６の何れかの特徴に加えて、ラジオ受信部とＬＥＤライト部と緊急報知部とは、その何れか２つ以上を同時に駆動することができないようにスイッチ構成されていることを第７の特徴としている。
【発明の効果】
【００１０】
請求項１に記載の緊急・災害用携帯具によれば、電源部は太陽電池、手動発電機、外部電源接続部に接続される１つ又はそれ以上の外部電源の何れかを、天候状態、人手の有無、外部電源の有無等、必要電力や緊急性の程度など、有利性と可能性とから、条件や状況に応じて柔軟に選択して電力を供給することができる。
一方、充電部の電気二重層コンデンサは、前記電源部の太陽電池と手動発電機の何れか一方若しくは両方によって充電されるようになされているので、太陽電池や手動発電機による小電力にも十分に対応して速やかに、確実に充電（蓄電）することができると共に、不安定な電力にも十分に対応して充電（蓄電）することができる。
そして負荷部の駆動は、充電された電気二重層コンデンサにより、或いは充電された電気二重層コンデンサと太陽電池や手動発電機により、行うようにしたことで、安定した負荷の駆動が可能となる。特に充電された電気二重層コンデンサと太陽電池や手動発電機とを併用して電力を負荷部に供給することで、短時間で電力消耗することなく持続的に且つ安定した電力供給が可能となる。
勿論、電気二重層コンデンサを用いることで、該電気二重層コンデンサのもつ充放電特性により、電源側の不安定給電性、充電の繰り返し、未完充電の繰り返しといったことによる寿命低下を生じることなく、突然発生する緊急・災害時にも対処して、給電分を容量一杯まで効率よく充電し、負荷の安定駆動を可能にすることができる。
その他、電気二重層コンデンサは、二次電池のような重金属による環境への問題も回避できる。
以上のように本発明の緊急・災害用携帯具は、特に緊急・災害時には、主に太陽電池と電気二重層コンデンサによる充電と、その電力をラジオ放送の受信に使用する。日照時、太陽電池の発電は電気二重層コンデンサの電力量を常時補うため、電気二重層コンデンサの容量以上に長時間にわたって使用が可能になる。従って同種の既発品とは異なり、日照時は、実質的に手動発電機によって電力の補充を行う必要がなくなるなどの新しい機能が実現できる。
【００１１】
また請求項２に記載の緊急・災害用携帯具によれば、上記請求項１に記載の構成による効果に加えて、負荷部の駆動は、電気二重層コンデンサを用いた駆動の他、該二次電池を利用しての駆動も可能となり、これによって電気二重層コンデンサのもつ充放電特性により、電源側の小起電力で不安定な給電性に対しても効率よく充電でき、また充電の繰り返し、未完充電の繰り返しといったことによる寿命低下を生じることなく、給電分を容量一杯まで効率よく充電して、より多くの負荷を対象とした安定駆動を可能にすることができると共に、消費電力の大きい負荷に給電する等、必要電力の大小や外部電力の有無、その他の条件に応じて二次電池を使用することによって、高電圧出力も得易くなり、消費電力の高い負荷の安定な駆動にも十分に対応して貢献することができる。
【００１２】
また請求項３に記載の緊急・災害用携帯具によれば、上記請求項１又は２に記載の構成による効果に加え、ＬＥＤライト部が超高輝度ＬＥＤであることにより、低電圧の電源部や充電部からの給電にてもインバータでの昇圧を介した給電によって安定に高輝度照明ができ、夜間や暗闇などでの発信源告知機能を高められる。
【００１３】
また請求項４に記載の緊急・災害用携帯具によれば、上記請求項３に記載の構成による効果に加え、ＬＥＤライト部が持つ複数の超高輝度ＬＥＤを、電源部の電源の種類や充電部の充電形式や充電残量などに応じて点灯数を選択し、無理なく、無駄なく必要な高輝度照明ができる。
【００１４】
また請求項５に記載の緊急・災害用携帯具によれば、上記請求項１〜４の何れかに記載の構成による効果に加え、外部電源接続部は、少なくともＤＣアダプタ、パーソナルコンピュータを含む外部電源との接続部であることにより、ＤＣ電源、パーソナルコンピュータが有する電力、その他の直流外部電源やその他の電源を必要に応じて或いはその場の状況に応じて適用し、二次電池を充電し或いは負荷を駆動することができる。
【００１５】
また請求項６に記載の緊急・災害用携帯具によれば、上記請求項１〜５の何れかに記載の構成による効果に加え、負荷部として、電源部からの給電を切り換え自在に受電できるようにした外部機器接続部を有することにより、該外部機器接続部を利用して、携帯電話やその他の外部機器への充電をも行うことができる。
【００１６】
また請求項７に記載の緊急・災害用携帯具によれば、上記請求項１〜６の何れかに記載の構成による効果に加え、ラジオ受信部とＬＥＤライト部と緊急報知部とは、その何れか２つ以上を同時に駆動することができないようにスイッチ構成されていることにより、ラジオ受信機とＬＥＤライト部と緊急報知部の何れか１つだけしか駆動できないことで、電力消費が急速に進むのを防止し、各負荷部への給電が共倒れ的に不足するような事態を確実に回避することができる。
【発明を実施するための最良の形態】
【００１７】
以下の図面を参照して、本発明の実施形態に係る緊急・災害用携帯具について説明し、本発明の理解に供する。しかし以下の説明は本発明の具体例であって、特許請求の範囲の記載内容を限定するものではない。
【００１８】
図１の実施形態に示すように、本発明の緊急・災害用携帯具Ａは、太陽電池１、手回しなどによる手動発電機２、外部電源４と接続することができる外部電源接続部３とを持った電源部Ｂと、該電源部Ｂからの給電によって充電される電気二重層コンデンサ１１を持った充電部Ｃと、ラジオ受信部２１、緊急報知部２２、ＬＥＤライト部２３を持った負荷部Ｅとを備えている。前記太陽電池１、手動発電機２を用いて充電部Ｃの電気二重層コンデンサ１１を充電することができる。そして充電された電気二重層コンデンサ１１により、或いはそれに太陽電池１や手動発電機２が加わった状態で、負荷部Ｅのラジオ受信部２１、緊急報知部２２、ＬＥＤライト部２３の何れか１つを駆動して使用に供するようにしている。
【００１９】
前記電源部Ｂの外部電源接続部３は、それに外部電源４が接続されることで、スイッチＳＷ１への接続が解消され、外部電源４が後述する二次電池１２及びスイッチＳＷ３側と接続されるように構成される。
よって電源部Ｂからの電力は、太陽電池１と手動発電機２との何れか一方若しくは両方で充電部Ｃの電気二重層コンデンサ１１の充電に供され、また外部電源４により二次電池１２が充電される。また外部電源４が外部電源接続部３に接続されていない状態では、手動発電機２によっても二次電池１２の充電が可能となるようにスイッチＳＷ１が切り換え可能に構成されている。
【００２０】
特に電気二重層コンデンサ１１を用いて太陽電池１からの電力を充電することで、電気二重層コンデンサ１１のもつ充放電特性により、太陽電池１による小電力供給に対しても効率よく良好な充電特性を発揮することができる。加えて太陽電池１や手動発電機２による不安定な給電や充電の繰り返し、未完充電の繰り返しといった状況に対しても、寿命低下を生じることなく、給電分を容量一杯まで効率よく充電して負荷の安定駆動を可能にすることができる。
電気二重層コンデンサ１１は、例えば１０Ｆ２．３Ｖのものを用いることができる。この電気二重層コンデンサ１１は２つ以上を並列等にして配してもよい。
また充電部Ｃに電気二重層コンデンサ１１のみを用いれば、二次電池１２の重金属による環境への問題が回避できる。
【００２１】
前記二次電池１２は、充電部Ｃに電気二重層コンデンサ１１と併用できるように備えられる。この二次電池１２は、既述したように外部電源４を用いて充電することで、効率よく充電することができる。
なお二次電池１２としては、２．４Ｖのニッケル・カドミウム充電池を用いることができる。
【００２２】
負荷部Ｅには、ラジオ受信部２１、緊急報知部２２、ＬＥＤライト部２３の外に、外部機器接続部２４を設けることができる。よって電源部Ｂからの電力は、負荷部Ｅのラジオ受信部２１、緊急報知部２２、ＬＥＤライト部２３の何れかに加え、外部機器接続部２４に接続した外部機器にも供給することが可能となる。より具体的には、前記外部機器接続部２４は手動発電機２による電力によりスイッチＳＷ１の切り換え接続により給電される。
このようにして電源部Ｂからの電力は、電気二重層コンデンサ１１、二次電池１２、負荷部Ｅ、外部機器接続部２４に接続された外部機器に給電される。電源部Ｂからの電力は負荷部Ｅへの給電の余剰分又は全給電分を利用して、電気二重層コンデンサ１１に主として充電することができる。
電気二重層コンデンサ１１を用いて充電を行うことで、電気二重層コンデンサ１１の有する充放電特性により、電源側の不安定給電性、充電の繰り返し、未完充電の繰り返しといったことによる寿命低下を生じることなく、給電分を容量一杯まで効率よく充電して、より多くの負荷を対象とした安定駆動を可能にする。従来のように二次電池１２のみを用いて行う場合には、太陽電池１からの小電力供給によっては二次電池を効率よく充電することができず、また充電回数やメモリ効果による寿命の問題が生じる。
【００２３】
本発明では電気二重層コンデンサ１１と二次電池１２とを適切に選択使用することで、電気二重層コンデンサ１１によって電源側の不安定給電性、充電の繰り返し、未完充電の繰り返しといったことによる寿命低下なしに給電分を容量一杯まで効率よく充電することと、二次電池１２によって高電圧出力を得て消費電力の高い負荷の安定な駆動に貢献することとをうまく組み合わせることが可能となり、負荷部Ｅへの電力供給を行うことができる。
【００２４】
ここで本実施形態の緊急・災害用携帯具Ａでは、ＬＥＤライト部２３が超高輝度ＬＥＤ２３ａ、２３ｂよりなり、インバータ２５による昇圧電圧で駆動されるようにしている。
ＬＥＤライト部２３が超高輝度ＬＥＤ２３ａ、２３ｂであることにより、電源部Ｂや充電部Ｃからの低電圧の給電でも、インバータ２５で昇圧することにより、安定して高輝度照明ができ、夜間や暗闇などでの発信源告知機能を高めることができる。しかもＬＥＤライト部２３は超高輝度ＬＥＤ２３ａ、２３ｂを複数持ち、駆動数を切り換えるスイッチ構成としてのスイッチＳＷ４を有している。具体的には、スイッチＳＷ４は電源部Ｂ又は充電部Ｃからの給電によって、１つの超高輝度ＬＥＤ２３ａを駆動するか、これに更に４つの超高輝度ＬＥＤ２３ｂを併せて駆動するかを選択できるようにしている。
これにより、ＬＥＤライト部２３が持つ複数の超高輝度ＬＥＤ２３ａ、２３ｂを、電源部Ｂの電源の種類や充電部Ｃの充電形式や充電残量などに応じて点灯数を選択し、無理なく、無駄なく必要な高輝度照明ができる。
【００２５】
外部電源接続部３は、一次電池、ＤＣアダプタ、又は携帯電話の電源などの外部電源４との接続部とすることができ、その接続できる種類数が多いほど、緊急事態での電源使用環境を増大させることができる。
また前記外部機器接続部２４がＵＢＳ端子２４ａであることにより、そのＵＢＳ端子２４ａを利用して外部機器である携帯電話などへの充電も行うことができる。このＵＳＢ端子２４ａには定電圧回路３５を設けて、安定した電力が供給できるようにしている。
【００２６】
スイッチＳＷ１によって、電源部Ｂの手動発電機２からの電力供給を、二次電池１２側（イ）と、ＵＳＢ端子２４ａ側（ロ）と、電気二重層コンデンサ１１側（ハ）とに切り換えることができる。
またスイッチＳＷ２によって、電源部Ｂや充電部Ｃから負荷部Ｅへの電力供給を、緊急報知部２２側（イ）と、ラジオ受信部２１側（ロ）と、ＬＥＤライト部２３側（ハ）との何れか１つに切り換えることができる。
またスイッチＳＷ３によって、電気二重層コンデンサ１１側（イ）からの電力供給と、二次電池１２側（ロ）からの電力供給とを切り換えることができる。
前記スイッチＳＷ２の場合、負荷部Ｅへの給電は、ラジオ受信部２１、緊急報知部２２、ＬＥＤライト部２３の何れか１つに限定され、２つ以上が同時に駆動できないようにしている。このように構成することによって、ラジオ受信部２１や緊急報知部２２やＬＥＤライト部２３を同時使用することによる蓄電電力の大量消費、消耗を禁止して、給電不足に陥る事態を回避することができる。
またスイッチＳＷ４をオンして前記複数の超高輝度ＬＥＤ２３ａ、２３ｂを使用する場合には、スイッチＳＷ３が二次電池１２側（ロ）に連動して接続されるように構成して、高電圧出力を確保するようにしている。
【００２７】
前記ラジオ受信部２１はＩＣ等によるＦＭ／ＡＭ受信機とすることができる。また出力部には３Ｐジャック３１を介してモノトーンスピーカ３２を接続できるようにしている。
前記緊急報知部２２は、ＩＣ等０によるサイレンの鳴動とＬＥＤ等からなるブリンクライト３３による音と点滅する光とで緊急報知ができるようにしている。
【００２８】
前記電源部Ｂの外部電源接続部３は、３．５φ、３Ｐのジャック３４を持ち、ＤＣ５ＶのＤＣアダプタ等の外部電源４を接続して給電することができる。これによって二次電池１２への充電ができるだけ行い易く、また負荷部Ｅの駆動の安定化が計れる。
【００２９】
なお図示しないが、発電チェック機能、電気二重層コンデンサ１１の充電チェック機能、二次電池１２の充電チェック機能、外部電源４である電池などの残量チェック機能を付加するのが好適である。
【産業上の利用可能性】
【００３０】
本発明は、緊急・災害時に携帯していることで、高い選択自由度の電源事情を確保しながら、電気二重層コンデンサによる特有の充電機能によって、太陽電池１等からの小電流、不安定電流をも確実に且つ効率よく充電し、併せて電源部Ｂや充電部Ｃの選択によって有利に負荷部Ｅを安定駆動することを可能にし、緊急・災害用に柔軟に対応できるようにするものである。
【図面の簡単な説明】
【００３１】
【図１】本発明の実施形態に係る緊急・災害用携帯具を示す回路図である。
【符号の説明】
【００３２】
１            太陽電池
２            手動発電機
３            外部電源接続部
４            外部電源
１１          電気二重層コンデンサ
１２          二次電池
２１          ラジオ受信部
２２          緊急報知部
２３          ＬＥＤライト部
２３ａ        超高輝度ＬＥＤ
２３ｂ        超高輝度ＬＥＤ
２４          外部機器接続部
２４ａ        ＵＳＢ端子
２５          インバータ
３１          ３Ｐジャック
３２          モノトーンスピーカ
３３          ブリンクライト
３４          ジャック
３５          定電圧回路
Ａ            緊急・災害用携帯具
Ｂ            電源部
Ｃ            充電部
Ｅ            負荷部
ＳＷ１〜４    スイッチ
【図１】
2007267469.tif 000003